(57)【特許請求の範囲】
【請求項１】
収納時には、複数の本体部が入れ子状態で遊挿されており、使用時には、前記複数の本体部のうち、前記本体部を内設している外方本体部が、それぞれ該外方本体部に内設されている内方本体部より一方向に引き出され、前記内方本体部の一方向側の一端部と、前記外方本体部の一方向側とは反対側の他端部とが重なり、前記内方本体部と前記外方本体部との重なる部分が相互に係止されて、複数の前記本体部が１つの長尺物となる長尺物の収納装置において、前記重なる部分の前記外方本体部の内方面に凹所及び／又は突部を設け、前記重なる部分の前記内方本体部と前記外方本体部との間には間隙が設けられており、該間隙に係合部材が設けられ、該係合部材が前記外方本体部の前記凹所及び／又は前記突部に係合することによって、前記重なる部分が相互に係止されることを特徴とする長尺物の収納装置。
【請求項２】
前記係合部材が、前記重なる部分が相互に係止される際に、前記内方本体部及び前記外方本体部を押圧している請求項１に記載の長尺物の収納装置。
【請求項３】
前記突部が前記外方本体部と一体で形成されている請求項１又は請求項２に記載の長尺物の収納装置。
【請求項４】
前記所定の間隙を保持するガイド部が、すべての前記本体部に設けられており、該すべての前記本体部の断面形状が同一方向に開口を有した形状をしている請求項１乃至請求項３の何れかに記載の長尺物の収納装置。
【請求項５】
前記本体部のガイド部が、前記本体部の開口の端部に設けられ、該本体部の延在方向に延び内方に突出する突条部であり、前記外方本体部のガイド部の開口とは反対側の面が、前記内方本体部のガイド部の開口側の面と当接して摺動可能にされている請求項４に記載の長尺物の収納装置。
【請求項６】
前記外方本体部が前記収納時の位置より他方向に延びないようにするストッパーを設けた請求項１乃至請求項５の何れかに記載の長尺物の収納装置。
【請求項７】
各前記本体部の延在方向の長さが等しく、前記外方本体部の一方向側とは反対側に、それぞれ整合する切欠きが設けられ、前記ストッパーが該切欠きの前記一方向側に係合する請求項６に記載の長尺物の収納装置。
【請求項８】
前記重なり部分となる前記内方本体部の外方面に、凹部及び／又は突出部が設けられており、前記係合部材が該凹部及び／又は該突出部に嵌合することにより前記係合部材が前記内方本体部に係止されている請求項１乃至請求項７の何れかに記載の長尺物の収納装置。
【請求項９】
前記係合部材が、中央に孔を有している皿ばねであり、使用時に前記突部が前記皿ばねの前記孔に嵌合する請求項１乃至請求項８の何れかに記載の長尺物の収納装置。
【請求項１０】
前記突部の断面形状が長方形状をしている請求項９に記載の長尺物の収納装置。
【請求項１１】
前記長尺物が、てこの原理を利用した装置の柄の部分である請求項１乃至請求項１０の何れかに記載の長尺物の収納装置。
【請求項１２】
前記長尺物が、逆浸透によって海水を真水にする海水淡水化装置の海水に圧力を加える加圧部の柄である請求項４乃至請求項１０の何れかに記載の長尺物の収納装置。
【請求項１３】
前記柄の最も内方にある前記本体部の前記開口に、前記海水を加圧する室の上部が挿入されている請求項１２に記載の長尺物の収納装置。
【請求項１４】
前記海水を加圧する前記室及び前記逆浸透を行う室の延在方向が、前記柄の延在方向と平行に配設されている請求項１３に記載の長尺物の収納装置。
【請求項１５】
前記海水淡水化装置の支持台が、本体部と、該本体部の底面及び両側面を被覆し断面形状が凹形状の引出部とより成り、該両側面を被覆する前記引出部の両側部にはそれぞれ平行に、前記一方向でかつ上向きに延びる細長いスリット形状の貫通孔が設けられおり、該貫通孔には前記本体部と一体となった支持部材が嵌合されて、前記本体部と前記支持部材とを連結させており、前記支持部材が前記貫通孔を摺動させながら、前記引出部を前記本体部から引き出し、前記支持部材から、前記底面を被覆する前記引出部の底部の上面までの距離が、前記支持部材から前記本体部の底面までの距離より短くなった場合に、前記引出部が拘持されるようにした支持台である請求項１２乃至請求項１４の何れかに記載の長尺物の収納装置。
【請求項１６】
前記引出部の延在方向の長さが、前記支持台の前記本体部の延在方向の長さとほぼ等しい請求項１５に記載の長尺物の収納装置。
【発明の詳細な説明】
【０００１】
【発明の属する技術分野】
本発明は、長尺物の収納装置に関するものであり、特に、海水淡水化装置のハンドルなど、使用時に長手方向に対して直角方向に力が加わる長尺物の収納装置に関するものである。
【０００２】
【従来の技術】
使用時には、長尺物として用いる必要があるが、使用しないときには、長尺物を分割してコンパクトに収納するものとして、例えば図１６に示されるような指示棒５等に用いられる収納装置がある。これは、使用しないときには、図１６のＡに示されるように、それぞれ中空の円錐台形状を呈する、第１本体部１５の外周に第２本体部１６が、この第２本体部１６の外周に第３本体部１７が遊挿されている、謂わば入れ子状態で収納されている。なお、第１本体部１５の右側には第３本体部１７の右側周縁部の内径ｄ3 より大きい外径を有する先端部１４が設けられている。そのため、収納時には、第２本体部１６及び第３本体部１７は、先端部１４に係合されて、これより右方には移動できない構造となっている。また、第１本体部１５の左側周縁部１５ｂの外径Ｄ1 は第２本体部１６の右側周縁部１６ａの内径ｄ2 より大きく、第２本体部１６の左側周縁部１６ｂの外径Ｄ2 は第３本体部１７の右側周縁部１７ａの内径ｄ3 より大きくなっている。従って、使用時に長尺物として用いる際には、第１本体部１５を第２本体部１６より、そして第２本体部１６を第３本体部１７より図の右方に引き出すと、図１６のＢで示されるように、第１本体部１５の内径が第２本体部１６の外径より大きくなったところで嵌合し、また第２本体部１６の外径が第３本体部１７の内径より大きくなるところで嵌合するので、長尺物の指示棒５となる。
【０００３】
しかしながら、この構造は、内方にある本体部の外径が外方にある本体部の内径より大きくなることを用いて、それぞれを嵌合させて長尺物としているだけであるので、使用中に、長尺物となるように引き出した方向と逆方向、すなわち図１６のＢにおいて矢印Ｆで示される方向に、力が働く場合には、内方にある本体部、すなわち第１本体部１５及び第２本体部１６が容易に左方に移動して、支持棒５が収縮し、長尺物の形状を保ち続けることができない。
【０００４】
そこで、長尺物に力が加わった場合でも、収縮せずに長尺物の形状を保持できるような構造として、折りたたみ傘の柄などに用いられる図１７及び図１８に示されるような構造１、２がある。図１７では、孔６ａを有した中空の外方本体部６の中に、中空の内方本体部７が嵌合されており、この内方本体部７の内部には、径外方に突出する突部８ａが設けられた係合部材８の左部８ｂが固着されている。この突部８ａは、常に内方本体部７の孔７ａ（これは外方本体部６が移動したときに孔６ａと整合する位置に設けられている）に位置している。収納時には、図１７のＡで示されるように、係合部材８の突部８ａの先端８ａａが外方本体部６の内周に押圧されて、係合部材８が撓み、内方本体部７に収納されている。使用するときには、外方本体部６を摺動させ、係合部材８の突部８ａが収容されている位置に外方本体部６の孔６ａを移動させる。すると、図１７のＢで示されるように、係合部材８の突部８ａが突出して、孔６ａに嵌合する。従って、突部８ａが孔６ａから突出することにより、外方本体部６が内方本体部７に係止されて、長尺物となる。なお、長尺物を収納する際には、図１７のＢに示される係合部材８の突部８ａの先端８ａａを、内方本体部７の内方に押し下げて、外方本体部６を左方へと摺動させる。
【０００５】
また、図１８に示される構造２では、中空の外方本体部９の中に、それぞれ対向する位置に孔１０ａを有した内方本体部１０が嵌合され、内方本体部１０の内部には、ばね１１で結合された球１２が、ガイド部１３にガイドされ孔１０ａに配設されている。また外方本体部９には、それぞれ対向し、外方本体部９が移動したときに内方本体部１０の孔１０ａに整合する位置に、かつ球１２の直径より小さい孔９ａが設けられている。収納時には、図１８のＡで示されるように、ばね１１が圧縮されて、球１２が外方本体部９に当接した状態で保管されている。そして、使用するときには、外方本体部９を右方に摺動させ、外方本体部９の孔９ａが内方本体部１０の孔１０ａに整合すると、ばね１１によって球１２が外方に飛び出し、外方本体部９の孔９ａに球１２が嵌合して、外方本体部９と内方本体部１０の重なり部分が相互に係止されて、長尺物となる。なお、収納する際には、外方本体部９を強制的に左方に移動させれば、外方本体部９の内面が、ばね１１に抗して球１２を押し下げ、図１８のＡに示される状態となる。
【０００６】
これらの構造１、２では、収納時には、外方本体部６、９の内方に内方本体部７、１０を挿入した、謂わば入れ子状態としている。そして、使用時には、外方本体部６、９を摺動させ、内方本体部７に設けられた係合部材８又は内方本体部１０に設けられた球１２を外方本体部６、９の孔６ａ、９ａに係合することによって、外方本体部６、９と内方本体部７、１０とを相互に係止して、長尺物としている。すなわち、これらの構造１、２では、長尺物に力が加わっても収縮されることはないが、内方本体部７、１０の内部を、係合部材８又は球１２とばね１１とを収容するための空間としているので、内方本体部７、１０の内部の空間を省くということができず、従って、長尺物の収納スペースを、これ以上、小さくすることができない。
【０００７】
ところで、特公昭６４−１６６７号公報には、逆浸透を用いた海水淡水化装置が示されている。この海水淡水化装置は、図１９に、全体として２０で示されているが、これは、ハンドル２１と、ピストン２２が摺動するシリンダ２３と、方向制御弁２４と、差動サージアブソーバ１８と、フィルタ４と膜容器２６とを有している。シリンダ２３の内部は、ハンドル２１がピン１９の周りに回転可能に連結されたピストン２２によって、加圧室２７と、背圧室２８とに区画されている。背圧室２８は連絡管路２９を介して方向制御弁２４と連通しており、加圧室２７は、逆止弁３０を有し海水ＳＷを取り込む取水管３１に接続され、かつ逆止弁３２を有した管路３３、差動サージアブソーバ１８の供給室１８ａ、管路３３’、フィルタ４及び管路３３”を介して膜容器２６と連通している。膜容器２６は、内部空間２６ａに半透膜２５を有し、半透膜２５の内部は真水管３５を介して外部と連通し、半透膜２５の外部は管路３４、差動サージアブソーバ１８の濃縮室１８ｂ及び管路３４’を介して方向制御弁２４と連通する。方向制御弁２４は、貫通孔４０ａを有した本体４０と、この貫通孔４０ａを摺動するスプール３７とからなり、このスプール３７は、ピン４１でハンドル２１に連結するリンク部材３６とピン４２によって連結している。このスプール３７が貫通孔４０ａを移動することによって、連絡管路２９の連通及び遮断が制御される。なお、スプール３７は、上方及び下方に、その動きを止める止め３７ａ、３７ｂを有している。
【０００８】
この海水淡水化装置２０のハンドル２１の端部を矢印Ｇで示すように上昇させる。すなわち、ピン１９の周りに反時計方向に回転させると、まずスプール３７が上方に移動して、連絡管路２９は管路３４’と連通し、かつ排気管路３８と遮断する。更にハンドル２１を上昇させると、図１９に示されるように、スプール３７の止め３７ｂが本体４０に係合し、スプール３７がそれ以上、上方へは動かなくなる。この状態で、更にハンドル２１を上昇させると、ピン４１を支点としてピストン２２が下方へと移動する。このとき、加圧室２７の水は加圧され、逆止弁３２を開けて、管路３３、３３’、３３”を通って膜容器２６に流入する。加圧された水は、膜容器２６に流入すると、その圧力により、水の粒子だけが半透膜２５を通過し真水ＦＷとなって管路３５に供給される。半透膜２５を通過せず、塩分が濃縮された海水（以下、濃縮水と呼ぶ。）ＣＷは、管路３４、３４’、方向制御弁２４及び連絡管路２９を介して、シリンダ２３の背圧室２８に流入される。すなわち、加圧した水が、差動サージアブソーバ１８や膜容器２６等を巡って、ピストン２２の背圧室２８に流入し、ピストン２２の下方への移動を促進する。
【０００９】
次に、ハンドル２１の端部を下降させる。すなわち、ハンドル２１をピン１９の周りに時計方向に回動させる。まずスプール３７が下方に移動し、連絡通路２９は管路３４’と遮断してから、排気管３８と連通し、背圧室２８が外部と連通される。更に、ハンドル２１の端部を下降させると、スプール３７の止め３７ａが本体４０に係止して、スプール３７の下方の移動を抑制する。そして、更にハンドル２１の端部を下降させると、ピン４１を支点として、ピストン２２が上方へ移動しようとする。このとき背圧室２８は外気と連通しているので、ピストン２２は、容易に上方へと移動する。同時に、このピストン２２の移動により、背圧室２８にある濃縮水ＣＷは連絡通路２９、方向制御弁２４及び排気管３８を介して、外部に排出される。また、ピストン２２の上方への移動に従って、加圧室２７の圧力が膜容器２６の圧力より低下すると、逆止弁３２は閉じられる。更に、ハンドル２１の端部を下降させると、ピストン２２が上方に移動して、背圧室２７の圧力が負圧となると、逆止弁３０が開き、取水管３１から海水ＳＷが吸引される。なお、差動サージアブソーバ１８は、逆止弁３２が閉じ、かつ管路３４’が連絡通路２９と遮断されている場合に、内設されたばね４３により供給室１８ａの水の圧力を高めて、膜容器２６の内部空間２６ａにある水の流れが停滞しないようにしており、これにより多量の真水を摂取する際に生じる塩分の濃度分極（これが生じると、所与の生成量に得るために作動圧を高めねばらなず、膜の寿命が低下する）を防止している。
【００１０】
逆浸透を用いた海水淡水化装置２０は大きな圧力を必要とするので、上述したように、ピストン２２の背圧室２８に加圧した水を流入させる等、ハンドル２１に加える力をなるべく少なくする工夫がなされている。しかしながら、この海水淡水化装置２０の加圧量はピストン２２の下方への移動量であり、またピストン２２はピン４１を支点として移動しているので、てこの原理より（支点から作用点の距離を短くし、かつ）支点から力点までの距離、すなわち支点となるピン４１からハンドル２１に力を加える点までの長さを、更に長くすれば、同じ力を加えるとしても、加圧室２８の水に大きな圧力を加えることができるので、より多くの真水を得ることができる。しかしながら、この海水淡水化装置２０が、同一の場所に常時設置して使用する場合には、ハンドル２１を長くすることに対して何ら問題はないが、移動性、携帯性を有するような場合、例えば、海水淡水化装置を救命用キットなどに組込む際には、これを小型化して収納性を向上させることが望まれる。すなわち、収納スペースは最小限に抑えたいので、単に、長いハンドル２１を用いればよいということはできない。そこで、救命用キットなどに組み込まれる従来の海水淡水化装置では、ハンドルを分割して収納し、使用時にそれらをばらばらにしてねじによって係止させ、長尺物のハンドルとしていた。そのため、ハンドルの組付け及び使用が容易ではなかった。
【００１１】
そこで、救命用キットなどに組込まれる海水淡水化装置のハンドルに、長尺物とすることが容易な図１６に示される収納装置５を適用しようとすると、図１９のハンドル２１の端部は使用時に上下方向（正確には矢印Ｇ方向）に動かされるため、ハンドル２１の延在方向に力が加わる場合があり、この場合にはハンドル２１が収縮方向にスライドして、ハンドル２１の長さを保つことができず、操作性が悪い。また、この海水淡水化装置２０のハンドル２１に、上述した長尺物とすることが容易な構造１、２を適用しようとすると、この場合には、内方本体部及び外方本体部を係止するための構造（上記の係合部材８及びばね１１や球１２等）を設けるための内部空間が必要であるので、その内部空間分、収納スペースを小さくすることができない。
【００１２】
【発明が解決しようとする課題】
本発明は、上述の問題に鑑みてなされ、使用時には収縮方向に力が加わっても長尺物の形状を保ったまま使用できる長尺物を用いた装置を、収納時には小型化することができ、かつ使用時には容易に長尺物とすることができる長尺物の収納装置を提供することを課題とする。
【００１３】
【課題を解決するための手段】
以上の課題は、収納時には、複数の本体部が入れ子状態で遊挿されており、使用時には、前記複数の本体部のうち、前記本体部を内設している外方本体部が、それぞれ該外方本体部に内設されている内方本体部より一方向に引き出され、前記内方本体部の一方向側の一端部と、前記外方本体部の一方向側とは反対側の他端部とが重なり、前記内方本体部と前記外方本体部との重なる部分が相互に係止されて、複数の前記本体部が１つの長尺物となる長尺物の収納装置において、前記重なる部分の前記外方本体部の内方面に凹所及び／又は突部を設け、前記重なる部分の前記内方本体部と前記外方本体部との間には間隙が設けられており、該間隙に係合部材が設けられ、該係合部材が前記外方本体部の前記凹所及び／又は前記突部に係合することによって、前記重なる部分が相互に係止されることを特徴とする長尺物の収納装置、によって解決される。
【００１４】
このような構成にすることによって、内方本体部と外方本体部とが重なる部分で、かつこれらの間に設けられた間隙だけが、内方本体部と外方本体部とを係止するのに必要な空間となるので、これらの部材を係止するのに必要な空間を最小限にすることができる。また、外方本体部の内方面に設けられた凹所及び／又は突部が、間隙に設けられている係合部材が係合することによって、相互に係止されるので、長尺物が縮小される方向に力が加わったとしても、容易に長尺物が縮小されることがなく、常に安定して長尺物として使用が可能である。
【００１５】
【発明の実施の形態】
以下、本発明の実施の形態について、図１乃至図３を参照して説明する。
【００１６】
図１は、本発明の長尺物の収納装置を有する長尺物としての柄５０の使用時の正面図であり、図２は柄５０の収納時の正面図であり、図３は図２の右側側面図である。本発明の実施の形態では、後述する固定部材５９の上に、柄５０を設けている。柄５０は、それぞれアルミニウムでなる第１本体部５１、第２本体部５２及び第３本体部５３より構成されているが、第１本体部５１の外周に第２本体部５２が、第２本体部５２の外周に第３本体部５３が設けられている。すなわち、収納時には入れ子状態となっている。なおこれらは、図３に示されるように、それぞれ、下方に開口５１ａ、５２ａ、５３ａを有したコの字形状をしている。なお、第１本体部５１の内方は、空間となっており、ここに固定部材５９の上部が挿入されている。この固定部材５９は、柄５０と連結し、例えば、紙に孔を開けるパンチのような、てこの原理を使って動作するための装置の一部である。なお、図１に示されるように第３本体部５３の右方は、使用時に第３本体部５３を引き出す際に、けがをしないようにアールが設けられている。
【００１７】
また、第１本体部５１は、中央部に、図１及び図２において横方向（延在方向）に延びる突条部５１ｂを、図３に示すようにそれぞれ両側に１つずつ有している。また、第２本体部５２は、開口５２ａの端部に、第１本体部５１の突条部５１ｂと平行に延び、内方に突出する突条部５２ｂを、それぞれ両側に１つずつ有しており、同様に、第３本体部５３も、開口５３ａの端部に突条部５１ｂ、５２ｂと平行に延び、内方に突出する突条部５３ｂを、それぞれ両側に１つずつ有している。なお、第１本体部５１の突条部５１ｂの下面５１ｂｂは、第２本体部５２の突条部５２ｂの上面５２ｂａと対向しており、第２本体部５２の突条部５２ｂの下面５２ｂｂは、第３本体部５３の突条部５３ｂの上面５３ｂａに対向している。
【００１８】
図２に示されるように、第２本体部５２の上壁部５２ｆの左方及び第３本体部５３の上壁部５３ｆの左方には、突部５２ｃ、５３ｃが設けられている。これらは、例えば鉄などの硬質の材料でなり、締まりばめで第２本体部５２、第３本体部５３に一体化され、それぞれ後述する皿ばね５５、５６の孔５５ａ、５６ａの内径より小さい外径を有し、その断面形状が長方形状、すなわち円柱形状を呈している。なお、この突部５２ｃ、５３ｃは第２本体部５２及び第３本体部５３と同一の材質で一体的に形成してもよい。また、第１本体部５１の上壁部５１ｆの右方及び第２本体部５２の上壁部５２ｆの右方には、それぞれ、平面形状が円形の凹部５１ｄ、５２ｄが設けられている。この凹部５１ｄ、５２ｄには、係合部材である皿ばね５５、５６が抜け落ちないように嵌合している。また、皿ばね５５、５６は、それぞれ中央に孔５５ａ、５６ａを有した円錐台形状をしている。皿ばね５５の自由状態の高さは、突条部５１ｂが突条部５２ｂと当接した際に、第１本体部５１の上壁部５１ｆと第２本体部５２の上壁部５２ｆとの間に生じる間隙Ｓの高さより大きく、また、皿ばね５６の自由状態の高さは、突条部５２ｂが突条部５３ｂと当接した際に、第２本体部５２の上壁部５２ｆと第３本体部５３の上壁部５３ｆとの間に生じる間隙Ｓ’の高さより大きくなっている。すなわち、皿ばね５５、５６は、ここでは圧縮状態で挿入されている。従って、図２及び図３に示される収納時の状態でも、第３本体部５３の突条部５３ｂの上面５３ｂａは、第２本体部５２の突条部５２ｂの下面５２ｂｂに当接し、第２本体部５２の突条部５２ｂの上面５２ｂａは、第１本体部５１の突条部５１ｂの下面５１ｂｂに当接して、間隙Ｓ、Ｓ’が設けられている。なお、皿ばね５５、５６の高さは１ｍｍ強と、ごく小さく、すなわち実際の間隙Ｓ、Ｓ’の大きさも１ｍｍ弱と、とても小さいが、図では、誇張して大きく示している。そのため、図において第２本体部５２と間隙Ｓ及び第３本体部５３と間隙Ｓ’の割合は、実際のものとは異なっている。
【００１９】
また、第１本体部５１の、使用時に第２本体部５２及び第３本体部５３を引き出す方向とは反対側には、すなわち、図１において第１本体部５１の左方には、ねじ孔５１ｅが設けられている。また、このねじ孔５１ｅには、図３に示されるように、第３本体部５３まで延びるストッパー５４が螺着されている。また、図１において第２本体部５２、第３本体部５３の左方には、切欠き５２ｅ、５３ｅが、それぞれ設けられており、これら切欠き５２ｅ、５３ｅは、図２に示されれる収納時には、ストッパー５４の右部に係合して、第２本体部５２及び第３本体部５３が、図２における位置より左方へ移動しないようにしている。
【００２０】
なお、本発明の柄５０は、第１本体部５１の凹部５１ｄに皿ばね５５を載置固着し、その上に、左方から第２本体部５２を嵌合させ、次に、第２本体部５２の凹部５２ｄに皿ばね５６を載置固着して、その上に、左方から第３本体部５３を嵌合させて、最後に、第１本体部５１の左方にストッパー５４を螺着させて、組付けを行う。
【００２１】
本発明の柄５０は、以上のように構成されるが、次にその作用について説明する。
【００２２】
収納時には、図２に示されるように、第１本体部５１、第２本体部５２及び第３本体部５３が、それぞれ入れ子状態で遊嵌されている。使用時には、まず、最も外方にある第３本体部５３を右方に引き出す。このとき、皿ばね５６の上端部が第３本体部５３の上壁部５３ｆを押圧しているので、第３本体部５３の突条部５３ｂが、第２本体部５２の突条部５２ｂに係合した状態で、第３本体部が右方へと移動する。第３本体部５３の突部５３ｃが、皿ばね５６の左側に至ると、一点鎖線で示すように、突条部５３ｃは皿ばね５６を押し下げながら、更に右方に移動する。突部５３ｃが皿ばね５６の孔５６ａに至ると、それまで押し下げられていた皿ばね５６が弾性力で上方へ戻り、図１に示されるように突部５３ｃが孔５６ａに嵌合する。従って、第３本体部５３は、皿ばね５６により、第２本体部５２と、その重なる部分が相互に係止される。更に、第３本体部５３を右方に引き出すと、第２本体部５２が第３本体部５３と係止されているので、今度は、第２本体部５２が第１本体部５１から右方に引き出される。すなわち、第２本体部５２は右方へ移動し、第３本体部５３の場合と同様にして、第２本体部５２の突部５２ｃが皿ばね５５の孔５５ａに嵌合して、第１本体部５１と第２本体部５２とを相互に係止する。従って、図１に示される長尺物の柄５０となる。
【００２３】
なお、本実施例の形態の柄５０を収納する際には、皿ばね５５、５６に傷が付かない治具（例えば、樹脂製の薄い板など）で皿ばね５５、５６を抑えながら、第２本体部５２及び第３本体部５３を図１の左方へと引き戻す。第２本体部５２及び第３本体部５３が左方へ移動すると、第２本体部５２の切欠き５２ｅ及び第３本体部５３の切欠き５３ｅがストッパー５４の右側に係合して、図２に示されるような収納状態となる。
【００２４】
すなわち、本実施例の形態では、長尺物の柄５０となる第１本体部５１、第２本体部５２、第３本体部５３のそれぞれの重なり部分には間隙Ｓ、Ｓ’が有してあり、そこに設けられた皿ばね５５、５６の孔５５ａ、５６ａには、第３本体部５３の突部５３ｃ及び第２本体部５２の突部５２ｃが嵌合している。従って、長尺物とするために各本体部を引き延ばす方向と逆方向、すなわち図１における左方向に力が加わったとしても、第２本体部５２及び第３本体部５３が左方に移動して、長尺物の柄５０でなくなるということがなく、柄５０の長さを保ったまま使用することができる。なお、本実施の形態では、突部５２ｃ、５３ｃは断面形状が長方形であるので、一旦、突部５２ｃ、５３ｃが皿ばね５５、５６の孔５５ａ、５６ａに嵌合してしまうと、図において上から力が加わっても、容易には抜け落ちないので、一層、長尺物の柄５０に力が加わったとしても、その形状を確保することができる。
【００２５】
また、係合部材の皿ばね５５、５６は、突部５２ｃ、５３ｃと係合する際に、皿ばね５６は外方にある第３本体部５３及び内方にある第２本体部５２を、また皿ばね５５は外方にある第２本体部５２及び内方にある第１本体部５１を押圧しているので、長尺物の柄５０としたときのガタツキもなくしている。そのため、皿ばね５５、５６と突部５２ｃ、５３ｃとの係合が一層、解かれにくくなる。また、長尺物の柄５０に上下方向の力を加えて使用する場合などには、ガタツキがないので、加えた力を効率良く用いることができる。
【００２６】
また、本実施例の形態では、それらの重なり部分は、重なる部材同士の間に設けられた皿ばね５５、５６によって係止されるので、重なり部分を係止する係止部材を配設するための他の空間を必要としない。なお、皿ばね５５、５６の高さは、上述したように約１ｍｍ程度と低いので、その重なる部分の間隙Ｓ、Ｓ’の大きさも１ｍｍ程度と小さく、重なる部材同士を係止するのに必要な空間がごく小さくなる。従って、第１本体部５１の内部は、長尺物である柄５０を保持する（長さをそのままとする）ために、必要な空間ではない。また、柄５０を構成している第１本体部５１、第２本体部５２及び第３本体部５３は、すべて、下方に開口５１ａ、５２ａ、５３ａを有しているので、すなわち第１本体部５１の内部は、外部と連通している。従って、ここに固定部材５９を挿入するなど、第１本体部５１の内部空間を有効に使用することができ、この柄５０を用いた装置全体の、収納時の形状を小型化をすることも可能である。
【００２７】
本実施の形態では、突部５２ｃ、５３ｃを第２本体部５２、第３本体部５３と材質を変えて形成した後、一体化したが、突部を本体部と一体化して形成すれば、一層、長尺物の柄５０に大きな力が加わっても、突部が破壊されて係合が解かれるということは起こりにくく、また部品点数を少なくすることができる。また、（第１本体部５１に対して）外方本体部であり（第３本体部５３に対して）内方本体部である第２本体部５２の突条部５２ｂは、その上面５２ｂａを第１本体部５１の突条部５１ｂの下面５１ｂｂに、その下面５２ｂｂを第３本体部５３の突条部５３ｂの上面５３ｂａに当接してスライドさせたので、第２本体部５２の１つの突条部５２ｂでガイドされる作用とガイドする作用との２つの作用を持たせることができ、収納スペースを最小限に抑えることができる。
【００２８】
また、係合部材である皿ばね５５、５６が、内方本体部である、第１本体部５１及び第２本体部５２に設けられた凹部５１ｄ、５２ｄに嵌合することによって係止されているので、外方本体部である、第２本体部５２、第３本体部５３が可動しても、皿ばね５５、５６の欠落やずれが防止できる。また、ストッパー５４を設けることにより、第２本体部５２及び第３本体部５３が収納時の位置より、第２本体部５２及び第３本体部５３が引き出される方向とは反対方向に延びることがないので、確実に、係合部材である皿ばね５５、５６の欠落やずれを防止することができる。更に、長尺物を構成する第１本体部５１、第２本体部５２及び第３本体部５３の延在方向の長さを等しくし、第２本体部５２及び第３本体部５３が引き出される側とは反対側に、それぞれ整合する切欠き５２ｅ、５３ｅを設け、ここにストッパー５４が係合するようにしているため、ストッパー５４が最も外方の第３本体部５３から外方に突出しないようにすることができる。従って、ストッパー５４を設けても、余分なスペースを占有することがない。
【００２９】
【実施例】
次に、本発明の長尺物の収納装置の具体的実施例として、救命用キットに搭載される海水淡水化装置について、図４乃至図９を参照して説明する。ただし、上記従来例の海水淡水化装置２０と同様な部分は、同一の符号を付し、その詳細な説明は省略する。ただし、本実施例の海水淡水化装置は、従来例の海水淡水化装置２０の構造の主要部であるシリンダ２３や膜容器２６を横向きにして配設されている。
【００３０】
図４は本発明を用いた海水淡水化装置６０の使用時の、すなわちハンドル６１が矢印Ｊ方向に引き出され長尺物となり、支持台６３の引出部７６を引き出した状態を示す斜視図であり、図５は使用時の海水淡水化装置６０の正面図、図６は使用時の海水淡水化装置６０の右側側面図であり、図７は収納時の海水淡水化装置６０の正面図を示している。
【００３１】
図４に示されるように、本実施例の海水淡水化装置６０は、ハンドル６１とシリンダ部６２と、従来例の膜容器２６を本体部７５とする支持台６３とから構成されている。シリンダ部６２の上部には、海水を取り込む取水ホース６８が取り付けられており、この取水ホース６８の端部には、フィルタを内蔵した取水部６４が設けられている。また、シリンダ部６２の下部には、水分が分離されて塩分濃度が高くなった濃縮水が排出される排水ホース６７が取り付けられている。なお、ハンドル６１は、後述するように、第１部材７１、第２部材７２及び第３部材７３から構成され、それらの重なり部分に皿ばね６５、６６が挿入されている。なおまた、最も外方にある第３部材７３の上部には、引き出す方向を示した矢印Ｊが表示されている。また、支持台６３は、従来例の膜容器２６に相当する本体部７５と、レッグ・ストラップ７０が設けられている引出部７６と、本体部７５と引出部７６とを結合するピン７７とより構成されており、その中央には、造水ホース６９が取り付けられている。なお、排水ホース６７、取水ホース６８及び造水ホース６９は、透明のプラスチックでなるフレキシブル（Ｆｌｅｘｉｂｌｅ）なチューブである。
【００３２】
図５に示すように、ハンドル６１は、例えばアルミニウムから成り、これは延在方向にほぼ同じ長さで３つに分割可能となっており、すなわち、ハンドル６１は、ほぼ同じ長さを有する第１部材７１、第２部材７２及び第３部材７３から構成されている。図６で示されるように、第１部材７１の外周には第２部材７２が設けられ、第２部材７２の外周には第３部材７３が設けられている。そのため、図７に示される収納状態では、第１部材７１、第２部材７２及び第３部材７３は入れ子状態になっている。また、図６に示されるように、第１部材７１は、下方に開口７１ａを有したコの字形状をしており、その両側部の中央には、延在方向に延び外方に突出するレール７１ｂが設けられている。また、第２部材７２は、下方に開口７２ａを有したコの字形状をしており、その開口７２ａの両端部には、延在方向に延び内方に突出するレール７２ｂが設けられている。更に、第３部材７３は、第２部材７２と同様な形状をしており、すなわち、下方に開口７３ａを有したコの字形状をし、その開口７３ａの両端部には、延在方向に延び内方に突出するレール７３ｂが設けられている。また、第１部材７１のレール７１ｂの下面７１ｂｂは、第２部材７２のレール７２ｂの上面７２ｂａと対向しており、第２部材７２のレール７２ｂの下面７２ｂｂは、第３部材７３のレール７３ｂの上面７３ｂａと対向している。また、第１部材７１の内部には、シリンダ部６２の上部が、第１部材７１の開口７１ａに介在して挿入されている。
【００３３】
また、第１部材７１の上壁部７１ｆの上面で、使用時に第２部材７２と重なる部分には、凹部７１ｄが設けられており、この凹部７１ｄに嵌合するように、中央に孔６５ａを有した円錐台形状の皿ばね６５が設けられている。同様に、第２部材７２の上壁部７２ｆの上面で、使用時に第３部材７３と重なる部分には、凹部７２ｄが設けられており、この凹部７２ｄに嵌合するように、中央に孔６６ａを有した円錐台形状の皿ばね６６が設けられている。なお、これら皿ばね６５、６６は、例えばステンレス鋼（ＳＵＳ）や青銅で形成されている。また、皿ばね６５の自由状態の高さは、レール７１ｂがレール７２ｂと当接した際に、第１部材７１の上壁部７１ｆと第２部材７２の上壁部７２ｆとの間に生じる間隙ｔの大きさより大きく、また、皿ばね６６の自由状態の高さは、レール７２ｂがレール７３ｂと当接した際に、第２部材７２の上壁部７２ｆと第３部材７３の上壁部７３ｆとの間に生じる間隙ｔ’の大きさより大きくなっている。すなわち、皿ばね６５、６６は、ここでは圧縮状態で挿入されている。従って、図７に示される収納時の状態でも、第３部材７３のレール７３ｂの上面７３ｂａは、第２部材７２のレール７２ｂの下面７２ｂｂに当接し、第２部材７２のレール７２ｂの上面７２ｂａは、第１部材７１のレール７１ｂの下面７１ｂｂに当接し、間隙ｔ、ｔ’が設けられている。
【００３４】
更に、第３部材７３の上壁部７３ｆの左方の下面には、皿ばね６６の孔６６ａの内径より小さい外径を有する円柱形状の突部７３ｃが設けられており、同様に、第２部材７２の上壁部７２ｆの左方の下面にも、皿ばね６５の孔６５ａの内径より小さい外径を有する円柱形状の突部７２ｃが設けられている。
【００３５】
また、図５において、第１部材７１の左方に、孔７１ｅが設けられおり、ここに、例えばプラスチックでなるストッパー７４が螺合している。また、第３部材７３の左方には、左側端部から細長く延びる切欠き７３ｅが設けられ、第２部材７２の左方にも、切欠７３ｅと同様な形状の切欠き７２ｅが設けられている。これら切欠き７３ｅ、７２ｅは、収納時にストッパー７４に係合して、第３部材７３及び第２部材がこれより左方に移動しないようにしている。すなわち、ハンドル６１が収縮される収納時に、切欠き７３ｅ、７２ｅがストッパー７４に係合されると、第３部材７３及び第２部材７２が第１部材７１ときれいに整合する。
【００３６】
一方、支持台６３は、図６に示されているように、本体部７５と、この本体部７５の下方の側面７５ａ、７５ｂ及び底面７５ｃを覆うようなコップ形状をしている引出部７６と、本体部７５に一体的に設けられているピン７７とから構成されている。引出部７６は、本体部７５の側面７５ａ、７５ｂをそれぞれ覆う側部７６ａ、７６ｂと、底面７５ｃを覆う底部７６ｃとよりなり、その延在方向の長さは、図７に示されるように、本体部７５のそれとほぼ等しくなっている。引出部７６の底部７６ｃには、図６に示されるように、引出部７６を引出した後に、レッグ・ストラップ６９を取り付けるための２列の貫通孔７６ｃａが設けられている。
【００３７】
支持台６３の側部７６ａには、引出部７６が引き出される方向、すなわち図５において右方向で、かつ上向きに延びる細長いスリット形状の貫通孔７６ａａが設けられている。また、側部７６ｂには、引出部７６が引き出される方向で、かつ上向きに延び、貫通孔７６ａａと平行な細長いスリット形状の貫通孔７６ｂａが設けられている。本実施例では、貫通孔７６ａａ、７６ｂａは同じ長さ、同じ高さに設けられており、すなわちこれらは整合している。この貫通孔７６ａａ、７６ｂａに嵌合するように、円柱形状のピン７７が、本体部７５の側面７５ａ、７５ｂのそれぞれに設けられ、本体部７５と引出部７６とを結合している。なお、図７に示すように、ピン７７が貫通孔７６ａａ、７６ｂａの最も上方部に位置しているときには、ピン７７の中心から引出部７６の底部７６ｃの上面までの距離Ｌ2 がピン７７の中心から本体部７５の底面７５ｃまでの距離Ｌ1 より長く、ピン７７が貫通孔７６ａａの最も下方部に位置しているときには、ピン７７の中心から引出部７６の底部７６ｃの上面までの距離Ｌ2 ’は、ピン７７の中心から本体部７５の底面７５ｃまでの距離Ｌ1 より短くなるように、貫通孔７６ａａ、７６ｂａの位置が決められている。また、本体部７５は、従来例の膜容器２６に相当し、すなわちその内部には、図示しない半透膜が、造水量を多くするためにスパイラル型膜モジュールとして挿入されている。
【００３８】
図８は、ハンドル６１とシリンダ部６２との連結部分を示す部分破断拡大図である。シリンダ部６２は、図８に図示しないが、図１９に示される方向制御弁２４とシリンダ２３との延在方向が横方向に延びるように内蔵しており、すなわち、本実施例では、方向制御弁２４のスプール３７及びシリンダ２３のピストン２２とハンドル６１の延在方向が平行となっている。なお、シリンダ部２３は、その下方の突出部に、４本の六角孔付きボルト４８を上から挿通させることによって、支持台６３にねじ止めで、一体的に固定されている。また、従来例と同様に、ハンドル６１にピン４１を介して結合するリンク部材３６と、スプール３７が
ピン４２を介して結合している。また、ハンドル６１は、ピン１９を介してピストン２２と結合している。なお、図において実線は、ハンドル６１が最も下方にある場合の位置、すなわちスプール３７が最も右側の位置にあり、ピストン２２が最も左側の位置にあるときを示しており、図において一点鎖線は、ハンドル６１が最も上方にある場合の位置、すなわちスプール３７が最も左側の位置にあり、ピストン２２が最も右側の位置にあるときを示している。なおまた、４５、４６は、構造上、ハンドル６１の第１部材７１を２つに分解して組み付ける必要があるので、第１部材の組付けに必要であるねじを示している。
【００３９】
本発明の長尺物の収納装置を用いた海水淡水化装置６０は、上記のように構成されるが、次に、この作用について説明する。
【００４０】
使用しない時には、図７に示されるように、第１部材７１、第２部材７２及び第３部材７３は、入れ子状態で相重なっている。また第２部材７２の切欠き７２ｅ及び第３部材７３の切欠き７３ｅはストッパー７４に係合している。また、支持台６３の引出部７６も本体部７５に収納されており、ピン７７は、引出部７６が収納されている状態では、貫通孔７６ａａの右側端部の近傍に位置している。すなわち、ピン７７が貫通孔７６ａａ、７６ｂａの最も上方部に位置し、ピン７７の中心から引出部７６の底部７６ｃの上面までの距離Ｌ2 は、ピン７７の中心から本体部７５の底面７５ｃまでの距離Ｌ1 より長くなっており、ピン７７の位置での本体部７５の底面７５ｃと引出部７６の底部７６ｃとの間には、約３ｍｍ程度の間隙Ｑが生じている。なお、収納時には、図示しないが、排水ホース６７、取水ホース６８、造水ホース６９及びレッグ・ストラップ７０は、海水淡水化装置６０の全体を巻装している。
【００４１】
救命用キットの海水淡水化装置６０が使用される場合には、救命用キット内に収容されているゴムボート４７を海上４９に広げ、人がその上に着座してから、海水淡水化装置６０を取り出す。そして、まず、排水ホース６７、取水ホース６８、造水ホース６９及びレッグ・ストラップ７０の巻装をはずす。そして、図７に示される状態において、まず最も外方にある第３部材７３を掴み、右方へと引き出す。すると、第３部材７３は、そのレール７３ｂが第２部材７２のレール７２ｂにガイドされて、また皿ばね６６に上方に押圧されて、右方へと移動する。第３部材の突部７３ｃが、皿ばね６６の近辺に至ると、皿ばね６６を下方に押しながら更に右方に移動する。そして、孔６６ａに至ると、皿ばね６６が弾性力で上方に戻り、突部７３ｃが皿ばね６６の孔６６ａに嵌合して、第３部材７３と第２部材７２とが係止される。その後、更に、第３部材７３を右方へ引き出すと、今度は、第３部材に係止されている第２部材７２が、そのレール７２ｂが第１部材７１のレール７１ｂにガイドされ、右方へと移動する。そして、第３部材の移動と同様に、皿ばね６５の孔６５ａに至ると、皿ばね６５が弾性力で上方に戻り、突部７２ｃが孔６５ａに嵌合して、第２部材７２と第１部材７１とが係止され、ハンドル６１は、図４及び図５で示されるような状態となる。
【００４２】
次に、支持台６３の引出部７６を図７で示される位置から右方へと引き出す。このとき、ピン７７は、貫通孔７６ａａ、７６ｂａに嵌合しているので、引出部７６は、ピン７７にガイドされながら、右方へ移動し、ピン７７の中心から引出部７６の底部７６ｃの上面までの距離Ｌ2 は徐々に小さくさくなり、すなわち間隙Ｑの大きさが徐々に小さくなる。そして、引出部７６が右方へ引き出され、ピン７７が貫通孔７６ａａ、７６ｂａの左側端部の近傍に至ると、ピン７７の中心から引出部７６の底部７６ｃの上面までの距離Ｌ2 は、ピン７７の中心から本体部７５の底面７５ｃまでの距離Ｌ1 より小さくなり、引出部７６の底部７６ｃが本体部７５の底面に拘持されて、支持台６３が図４及び図５で示されるような状態となる。
【００４３】
そして、支持台６３の引出部７６の貫通孔７６ｃａにレッグ・ストラップ７０を通し、更に、図９に示すように、取水ホース６８の取水部６４及び排水ホース６７の先端を海水に沈める。そして、レッグ・ストラップ６９をしっかりと足に巻き付ける。
【００４４】
次に、ハンドル６１を上下に動かして、造水を行う。ハンドル６１を上下に動かすと、従来例の海水淡水化装置２０のように、まずピン１９を中心として往復回動し、スプール３７が図８の左右方向に移動する。そして、スプール３７がその左右端部で固定されると、今度はピン４１を支点として、ピストン２２が移動する。このときの内部の動きは、従来の海水淡水化装置２０と同一であるので、その説明は省略するが、このように、本実施例ではハンドル６１を上下に動かすことによって、海水から真水を得る。
【００４５】
ただし、造水ホース６９から真水が出るまでは、ハンドル６１を少し速めに（１分間に約６０〜８０回程度）動かし、造水ホース６９から水が出始めたら、ややゆっくりと（１分間に約４０回程度）動かす。ハンドル６１の速度を落としてから最初の２分間は、塩分が多少混入しているので、飲まずに捨てる。その後、造水ホース６９を口にくわえて飲む。なお、造水量は、ハンドル６１の上下の動きを速くすれば多くなり、だいたい１分間に４０回程度の速度で、１回当たり数滴の真水が得られる。
【００４６】
本実施例の海水淡水化装置６０は、本発明の長尺物の収納装置を用いることにより、収納時にはハンドル６１を構成する部材を入れ子状態で保存し、更に、ハンドル６１を構成する第１部材７１の内部に、シリンダ部６２の上部が挿入されているので、ハンドル６１の内部を有効に利用できる。従って、大きな造水量が得られる海水淡水化装置６０を、高さも長さも小さくすることができる。また、第１本体部７１、第２本体部７２及び第３本体部７３を相互に係止する皿ばね６５、６６の高さはごく低いことも、海水淡水化装置６０を一層、小形化にしている。なお参考として、この海水淡水化装置６０と同様な逆浸透を用いて海水淡水化を行う海水淡水化装置（従来例で述べたようにばらばらに収納され、使用時にねじにより組みつける）の大きさを従来例１として、本発明の長尺物の収納装置を用いた海水淡水化装置６０の大きさと併せて、表１に示す。
【００４７】
【表１】
0003621208.tif 000002
【００４８】
表１から明らかなように、ほぼ同じ造水量が得られる従来例１の海水淡水化装置と本発明を用いた海水淡水化装置６０を比較すると、全幅はほぼ等しいが、海水淡水化装置６０のほうが、全高では１２ｍｍ低く、全長においては従来例１の海水淡水化装置の約半分の大きさである。
【００４９】
本実施例の海水淡水化装置６０では、そのハンドル６１が本発明の長尺物の収納装置を有しているので、ハンドル６１として使用する際には、すなわち力を加えてハンドル６１を作動させても、ハンドル６１を構成している第１部材７１、と第２部材７２及び第２部材７２と第３部材７３が係止されているので、ハンドル６１が収縮されることなくそのままの長さを保つことができる。また、第１部材７１と第２部材７２及び第２部材７２と第３部材７３は、それぞれその間に配設されている皿ばね６５、６６によって係止されているので、これらを係止するために必要な空間を最小限に抑えることができる。すなわち、レール７１ｂ、７２ｂ、７３ｂ同士が密着することによって、その収納スペースはごく小さいものとすることができる。更に、係止する皿ばね６５、６６は、それぞれに当接する第１部材７１と第２部材７２及び第２部材７２と第３部材７３を押圧しているので、ハンドル６１の重なり部分には、がたつきがない。従って、ハンドル６１に加える力を効率良く利用することができる。
【００５０】
また、第１部材７１、第２部材７２及び第３部材７３の断面形状が下方に開口を有した形状としているため、第１部材７１の内部に、シリンダ部６２の上部を挿通させており、すなわち第１部材７１の内部の空間を利用しているので、海水淡水化装置６０の高さをより小さくすることができる。また、皿ばね６６、６５に係合する突部７２ｃ、７３ｃの断面形状が長方形をしているので、一旦、皿ばね６５、６６の孔６５ａ、６６ａに突部７２ｃ、７３ｃが嵌合すると、その嵌合は容易に取ることができず、従って、ハンドル６１に、大きな力を加えても、このハンドル６１は、その長さを保つことができる。
【００５１】
また、海水淡水化装置６０の支持台６３が、本体部７５と、本体部７５の側面７５ａ、７５ｂ及び底部７５ｃを被覆する側部７６ａ、７６ｂ及び底部７６ｃを有する引出部とより成り、この側部７６ａ、７６ｂに、それぞれ平行に、引出部７６が引き出される方向で上向きに延びる細長いスリット形状の貫通孔７６ａａ、７６ｂａが設けられ、ここに本体部７５と一体となり本体部７５と引出部７６とを連結するピン７７が嵌合されており、引出部７６を引き出すことによって、ピン７７から引出部７６の上面までの距離が徐々に短くなって、ピン７７から本体部７５の底面までの距離より短くなったときに、引出し部７６が拘持されるようにしたので、簡単な構造で、引出部７６を強固に本体部７５に支持させることができる。従って、使用時にハンドル６１を延ばしたときに、引出部７６を延ばし、支持部６３の面積を大きくするので、安定してハンドル６１を上下に作動することができる。
【００５２】
従って、本発明を用いた海水淡水化装置６０において、収納した状態では、空き空間の少ない、全体として直方形状のブロックとすることができる。
【００５３】
以上、本発明の実施例について説明したが、勿論、本発明は、これに限定されることなく、本発明の技術的思想に基づいて、種々の変形が可能である。
【００５４】
例えば、上記実施の形態及び上記実施例では、係合部材である皿ばねが係合する突部を円柱形状としたが、その他の形状でもよく、角柱形状でもよい。このように、円柱形状や角柱形状のような断面が長方形状であると、上方から力を加えても皿ばねが突部からはずれることがないので、長尺物の形状が変わることがない。また、何度も収納を繰り返す場合には、例えば、図１０のＡのように外方本体部８１の内方に半円球状の突部８１ｃを設けて、皿ばね８３の孔８３ａに係合させたり、図１０のＢのように外方本体部８２の内方に凹所８２ｃを設け、ここに皿ばね８３を係合させてもよい。このような構造では、収納させるときには外方本体部８１、８２の皿ばね８３が設けられている部分を下方に押圧しながら、左方へと移動させる。すると、皿ばね８３が圧縮されて突部８１ｃや凹所８２ｃとの嵌合がはずれるので、内方本体部８４、８５と外方本体部８１、８２との係合がはずれる。この場合にも、外方本体部８１、８２と内方本体部８４、８５とを係止するために必要な空間を最小限に抑えることができる。また、上記実施の形態及び上記実施例では、係合部材である皿ばねは、内方本体部の上面に設けられた凹部に嵌合して、保持されているようにしたが、図１０のＢに示されるように、皿ばね８３の周りに突出部８５ａを設けるようにして、係合部材が脱落しないようにしてもよい。なお、この突出部８５ａは、図１０のＣに示されるように、複数の突出部８５ａから構成されるようなものでもよいし、平面から見て、リング状、長方形状、三角形状などを有する１つの突条部であってもよい。また、上記実施例や図１０では、内方本体部の突出部又は外方本体部の突部は、それぞれ内方本体部又は外方本体部と一体化されているものとして示したが、収納を何度も繰り返し行う場合などには、上記実施の形態で述べたように、突出部及び突部を、例えば剛性の高い別の材質などで形成して、内方本体部又は外方本体部に一体的に設けるようにしてもよい。
【００５５】
また、上記実施の形態及び上記実施例では、係合部材として、中央に孔がある円錐台形状の皿ばねを用いたが、他の形状を有する皿ばねでもよく、例えば図１１に示されるような皿ばね９４、９７、９７’、９７”でもよい。図１１のＡの皿ばね９４は、中空の円錐台形状９４ｂの上方に中空の円筒形状９４ａが載置されたような形状をしており、図１１のＢの皿ばね９７は、中空の角錐形状９７をしており、図１１のＣの皿ばね９７’は、皿ばね９７の角９７ａを切り取った形状をしており、図１１のＤの皿ばね９７”は、皿ばね９７の平面部９７ｂを切り欠いた形状をしている。また、係合部材は、皿ばねに限られることなく、外方本体部と内方本体部が係止される際に、両方の部材を押圧して、外方本体部の突部又は凹所に係合するものであればよい。従って、例えば図１２に示すような薄板ばね８３’でもよい。また、図１３のＡで示すように内方本体部８５’の突部８５ｄ’に鋼球８３”を設け、また外方本体部８１’にゴムでなる突部８１ｃ’を設け、図１３のＢで示すように、外方本体部８１’を右方に移動させる使用時には、鋼球８３”が突部８１ｃ’を弾性変形させながら係合するようにして、内方本体部８５及び外方本体部８１’とを係止させるようにしてもよい。
【００５６】
また、外方本体部の凹所や突部及び係合部材は、外方本体部と内方本体部との重なり部分に複数設けてもよく、またこのとき、外方本体部に凹所と突部の両方を設けて、これに係合部材を係合させるようにしてもよい。
【００５７】
また、上記実施の形態及び上記実施例では、最も内方にある本体部（第１本体部５１又は第１部材７１）にストッパー５４、７４を設けたが、長尺物となる部材が引き出される方向とは反対側に移動して、脱落しないような防止機構であれば、他の構造でもよく、例えば、引き出される側とは正反対の面に、薄板を張り合せて、ストッパーとしてもよい。
【００５８】
更に、上記実施の形態及び上記実施例では、内方本体部のガイド部の開口側の面に、外方本体部のガイド部の開口側とは反対側の面が当接するようにしたが、各本体部が同一方向に開口を有する場合には、内方本体部と外方本体部とが重なる部分に間隙が設けられていれば、このような構造でなくともよく、例えば、図１４のＡに示される構造でもよい。これは、内方本体部８７の開口端部に外方に突出する外方突出部８７ｂを設け、外方本体部８８、８９には、内方に突出する内方突出部８８ａ、８９ａ及び外方に突出する外方突出部８８ｂ、８９ｂを設け、外方突出部８７ｂ、８８ｂを内方突出部８８ａ、８９ａに係合させて、内方本体部８７と外方本体部８８との間及び外方本体部８８と外方本体部８９との間に、皿ばねを設ける間隙が生じさせている。この構造では、長尺物となる内方本体部８７及び外方本体部８８、８９の下面が面一になるので、内方本体部８７に挿入する突部の高さが低い形状を有する部材９０を挿入する場合に適する。また、上記実施の形態及び上記実施例の長尺物となるそれぞれの本体部は、その断面がコの字形状を呈していたが、図１５のＢに示されるように、ガイド部７１ｂ’、７２ｂ’、７３ｂ’を有し長尺物を構成する各本体部７１’、７２’、７３’の断面が半円形状を呈するようにしてもよい。
【００５９】
また、上記実施の形態及び上記実施例では、すべての本体部が、同一方向に開口を有する形状であり、最も内方にある本体部の内部に、長尺物を形成しない他の部材を設けたが、開口を設けない場合でも、本発明の長尺物の収納装置を用いれば、利用できる空間を更に大きくすることができる。例えば、図１４のＣに示すように、それぞれ三角形状を有する内方本体部８６’、外方本体部８７’、８８’、８９’を、それぞれの間に間隙ｒ1 、ｒ2 、ｒ3 が生じるように設け、この間隙ｒ1 、ｒ2 、ｒ3 に、当接する内方本体部８６’及び外方本体部８７’、８８’、８９’を押圧する皿ばね８３を設け、この皿ばね８３によって、内方本体部８６’及び外方本体部８７’、８８’、８９’を係止するようにしてもよい。そうすれば、この内方本体部８７’の内部空間８０を利用することもでき、例えば、雨樋などとして用いて内部空間８０に水を通してもよし、内部空間８０にスイッチ１つで自動的に長尺物となるような機構を配設してもよい。
【００６０】
更に、本発明は、他にカメラなどの三脚、傘、図１５に示されるような梯子９９などの構造に適用することもできる。すなわち、コの字形状の内方本体部９１の開口に複数の昇降部９１ａを設け、、その外周にコの字形状を呈しその開口に複数の昇降部９２ａを設けた外方本体部９２を設ける。更に、その外周にコの字形状を呈しその開口に複数の昇降部９３ａを設けた外方本体部９３を設けるようにして、これらを、皿ばね９５、９６で係止するようにしてもよい。また、本発明の長尺物の収納装置では、長尺物とした際には容易に収縮することがないので、てこの原理を利用した装置の、支点から力点までに相当する柄を収納する構造として適しており、例えば、紙に孔を開けるパンチの押圧部や大型のステープラー（商標名、ホッチキスで知られる）の押圧部やスパナなどの柄などに用いれば、これらの装置を小型化することができる。
【００６１】
なお、上記実施の形態及び上記実施例では、長尺物５０及びハンドル６１は、３つの部材より構成されたが、勿論、Ｎ個（Ｎは整数）から構成され、かつ各部材の重なる部分に係合部材を設けるようにしてもよいことは言うまでもない。
【００６２】
【発明の効果】
本発明は、以上説明したようなものであるから、以下に記載されるような効果を奏するものである。
【００６３】
収納時には複数の本体部が入れ子状態で遊挿されており、使用時には、複数の本体部のうち、本体部を内設している外方本体部が、それぞれ一方向に引き出され、内方本体部と外方本体部とが重なる部分の間には間隙が設けられ、この間隙に設けられた係合部材が、外方本体部に設けられた凹所及び／又は突部と係合することで、重なる部分が相互に係止されるようにしたので、外方本体部と内方本体部とを係止するのに必要な空間は、係止部材が設けられる間隙だけであるので、長尺物とするための構造に必要な空間を最小限に抑えることができる。
【００６４】
また、係合部材が、外方本体部に設けられた凹所及び／又は係合することにより、重なる部分が相互に係止されているので、長尺物として使用する際に、長尺物に力を作用させても、その係止が解かれにくく、容易に長尺物が収納状態へと変形することがない。従って、長尺物としたときの操作性がよい。
【図面の簡単な説明】
【図１】本発明の長尺物の使用時の状態を示す部分断面正面図である。
【図２】本発明の長尺物の収納時の状態を示す部分断面正面図である。
【図３】本発明の長尺物の収納時の状態を示す右側側面図である。
【図４】本発明の長尺物をハンドルとして用いた海水淡水化装置の、使用時の状態を示す斜視図である。
【図５】本発明の長尺物をハンドルとして用いた海水淡水化装置の、使用時の状態を示す正面図である。
【図６】本発明の長尺物をハンドルとして用いた海水淡水化装置の、使用時の状態を示す右側側面図である。
【図７】本発明の長尺物をハンドルとして用いた海水淡水化装置の、ハンドルを収納したときの状態を示す正面図である。
【図８】本発明の長尺物をハンドルとして用いた海水淡水化装置のポンプ作用を説明する部分破断拡大断面図である。
【図９】本発明の長尺物をハンドルとして用いた海水淡水化装置の作用を説明するための模式図である。
【図１０】本発明における係合部材が係合する外方本体部の内面又は内方本体部の外面の形状の変形例であり、Ａは外方本体部の内面に半円球側の突部が設けられている図であり、Ｂは内方本体部の外面に突出部が設けられている図であり、Ｃは図１０のＢにおける［Ｃ］−［Ｃ］線方向の図である。
【図１１】本発明の係合部材として用いられた皿ばねの変形例を示す図であり、Ａは円錐形状の上に円柱が設けられた形状の皿ばねを示し、Ｂは四角錐台形状の皿ばねを示し、ＣはＢの形状の皿ばねの角を切り取った形状の皿ばねを示し、ＤはＢの形状の皿ばねの平面部を切り取った形状の皿ばねを示している。
【図１２】本発明におけるの係合部材の第１変形例を示す断面正面図である。
【図１３】本発明におけるの係合部材の第２変形例を示す断面正面図であり、Ａは係合部材と外方本体部に設けられた突部が係合する前の状態を示し、Ｂは係合部材と外方本体部に設けられた突部が係合し、内方本体部と外方本体部とを係止している状態を示す図である。
【図１４】本発明の変形例を示す収納状態での右側側面断面図であり、Ａは第１変形例、Ｂは第２変形例、Ｃは第３変形例を示す図である。
【図１５】本発明の第４変形例の梯子を示す図であり、Ａは平面図、Ｂは断面正面図である。
【図１６】第１従来例の長尺物の収納装置を示す断面図であり、Ａが収納されている状態を示し、Ｂが長尺物として使用される際の状態を示す図である。
【図１７】第２従来例の長尺物の収納装置を示す断面図であり、Ａが収納されている状態を示し、Ｂが長尺物として使用される際の状態を示す図である。
【図１８】第３従来例の長尺物の収納装置を示す断面図であり、Ａが収納されている状態を示し、Ｂが長尺物として使用される際の状態を示す図である。
【図１９】従来例の海水淡水化装置を示す模式図である。
【符号の説明】
５０      長尺物
５１      第１本体部
５１ａ    開口
５１ｂ    突条部
５１ｂｂ  下面
５１ｃ    突条部
５１ｅ    ねじ孔
５２      第２本体部
５２ｂ    突条部
５２ｂａ  上面
５２ｂｂ  下面
５２ｃ    突部
５２ｄ    凹部
５２ｅ    切欠き
５３      第３本体部
５３ｂ    突条部
５３ｂａ  上面
５３ｃ    突部
５４      ストッパー
５５      皿ばね
５５ａ    孔
５６      皿ばね
５６ａ    孔
６０      海水淡水化装置
６１      ハンドル
６２      シリンダ部
６３      支持台
６５      皿ばね
６５ａ    孔
６６      皿ばね
６６ａ    孔
７１      第１部材
７１’    本体部
７１ａ    開口
７１ｂ    レール
７１ｂ’  ガイド部
７１ｂｂ  下面
７１ｄ    凹部
７１ｅ    ねじ孔
７２      第２部材
７２’    本体部
７２ａ    開口
７２ｂ    レール
７２ｂ’  ガイド部
７２ｂａ  上面
７２ｂｂ  下面
７２ｃ    突部
７２ｄ    凹部
７２ｅ    切欠き
７３      第３部材
７３’    本体部
７３ａ    開口
７３ｂ    レール
７３ｂ’  ガイド部
７３ｂａ  上面
７３ｃ    突部
７３ｅ    切欠き
７５      本体部
７５ａ    側面
７５ｂ    側面
７５ｃ    底面
７６      引出部
７６ａ    側部
７６ａａ  貫通孔
７６ｂ    側部
７６ｂａ  貫通孔
７６ｃ    底部
７７      ピン
８１      外方本体部
８１’    外方本体部
８１ｃ    突部
８１ｃ’  突部
８２      外方本体部
８２ｃ    凹所
８３      皿ばね
８３’    薄板ばね
８３”    剛球
８４      内方本体部
８５      内方本体部
８５ａ    突出部
８５’    内方本体部
８５ｄ’  突部
８６’    内方本体部
８７      内方本体部
８７’    外方本体部
８８      外方本体部
８８’    外方本体部
８９      外方本体部
８９’    外方本体部
９１      内方本体部
９２      外方本体部
９３      外方本体部
９４      皿ばね
９５      皿ばね
９６      皿ばね
９７      皿ばね
９７’    皿ばね
９７”    皿ばね
９９      梯子
Ｌ1       距離
Ｌ2       距離
Ｌ2 ’    距離
ｒ1       間隙
ｒ2       間隙
ｒ3       間隙
Ｓ        間隙
Ｓ’      間隙
ｔ        間隙
ｔ’      間隙
【図１】
0003621208.tif 000003
【図２】
0003621208.tif 000004
【図３】
0003621208.tif 000005
【図４】
0003621208.tif 000006
【図５】
0003621208.tif 000007
【図６】
0003621208.tif 000008
【図７】
0003621208.tif 000009
【図８】
0003621208.tif 000010
【図９】
0003621208.tif 000011
【図１０】
0003621208.tif 000012
【図１１】
0003621208.tif 000013
【図１２】
0003621208.tif 000014
【図１３】
0003621208.tif 000015
【図１４】
0003621208.tif 000016
【図１５】
0003621208.tif 000017
【図１６】
0003621208.tif 000018
【図１７】
0003621208.tif 000019
【図１８】
0003621208.tif 000020
【図１９】
0003621208.tif 000021